(57)【要約】【課題】  身体装着時に違和感を感じさせない身体装着具を提供すること。【解決手段】  雄テープ７と雌テープ８とよりなる面ファスナー６を開閉部に設けてなる。雌テープ８がループパイルを含むパイル地であり、このパイル地単体を身体装着具本体２の端部３に取り付ける。パイル地８はループパイルが外側となるように折り返して端部側を本体に固着してある。身体と身体装着具との境界となる輪状開口５の当該輪に沿った一部がパイル地であり、この輪状開口の輪に沿って取り付けられた一対のバンド９の内側に雄テープ７を取り付け、一対のバンドを引き寄せて雌テープ８に貼り付けることにより輪状開口を縮小させる。パイル地は身体前面側で、輪状開口５を身体の胴部に位置させてあるので、締め付け操作が容易である。【選択図】    図１
2007092258.tif 000002
【特許請求の範囲】
【請求項１】
雄テープと雌テープとよりなる面ファスナーを開閉部に設けてなる身体装着具であって、前記雌テープがループパイルを含むパイル地であり、このパイル地単体を前記身体装着具本体の端部に取り付けてなる身体装着具。
【請求項２】
前記パイル地を前記ループパイルが外側となるように折り返して端部側を前記本体に固着してあることを特徴とする請求項１記載の身体装着具。
【請求項３】
身体と身体装着具との境界となる輪状開口の当該輪に沿った一部が前記パイル地であり、この輪状開口の輪に沿って取り付けられた一対のバンドの内側に前記雄テープを取り付け、一対のバンドを引き寄せて前記雌テープに貼り付けることにより前記輪状開口を縮小させることを特徴とする請求項１又は２記載の身体装着具。
【請求項４】
前記パイル地が身体前面側であり、前記輪状開口が身体の胴部であることを特徴とする請求項３記載の身体装着具。
【請求項５】
前記開閉部が上下に沿って開いており、上着であることを特徴とする請求項１又は２に記載の身体装着具。
【請求項６】
前記開閉部が身体の股部であり、前記パイル地が前側に設けられていることを特徴とする請求項１又は２に記載の身体装着具。
【発明の詳細な説明】
【技術分野】
【０００１】
本発明は、雄テープと雌テープとよりなる面ファスナーを開閉部に設けてなる身体障害者用衣料等の身体装着具に関する。
【背景技術】
【０００２】
身体障害者用衣料は、当人や介護者の便宜のために、面ファスナーが用いられている。しかし、この面ファスナーは、例えば水着の胴部等の肌に接する部分にその周部で縫いつけられて用いられると、装着時に違和感を感じやすい点が問題である。
【０００３】
一方、面ファスナーの雌テープとしてループパイルを有するパイル地を用いた次のものが知られている。しかし、いずれの先行技術もパイル地を用いることを提唱するもので、具体的な利用方法にはなんらの示唆もない。
【特許文献１】特開平６−１８９８０９号
【特許文献２】特開平１０−７７５５３号
【発明の開示】
【発明が解決しようとする課題】
【０００４】
上記従来の実情に鑑みて、本発明は、身体装着時に違和感を感じさせない身体装着具を提供することを目的とする。
【課題を解決するための手段】
【０００５】
上記課題を解決するため、本発明に係る身体装着具の特徴は、雄テープと雌テープとよりなる面ファスナーを開閉部に設けてなる構成であって、前記雌テープがループパイルを含むパイル地であり、このパイル地単体を前記身体装着具本体の端部に取り付けることにある。
【０００６】
前記パイル地を前記ループパイルが外側となるように折り返して端部側を前記本体に固着するとよい。
【０００７】
身体と身体装着具との境界となる輪状開口の当該輪に沿った一部が前記パイル地であり、この輪状開口の輪に沿って取り付けられた一対のバンドの内側に前記雄テープを取り付け、一対のバンドを引き寄せて前記雌テープに貼り付けることにより前記輪状開口を縮小させるように構成してもよい。
【０００８】
具体的には、前記パイル地が身体前面側であり、前記輪状開口が身体の胴部とすることができる。また、前記開閉部が上下に沿って開いており、上着としてもよい。さらに、前記開閉部が身体の股部であり、前記パイル地が前側に設けられていてもよい。
【発明の効果】
【０００９】
上記本発明に係る身体装着具の特徴によれば、身体装着時に違和感を感じさせない身体装着具を提供することが可能となった。
【００１０】
本発明の他の目的、構成及び効果については、以下の発明の実施の形態の項から明らかになるであろう。
【発明を実施するための最良の形態】
【００１１】
次に、適宜添付図面を参照しながら、本発明をさらに詳しく説明する。
図１〜５に示す本発明の第一実施形態では、身体装着具１は水着のスパッツ３０として実施されている。このスパッツ３０は、大略、胴部３１と脚部３２とよりなり、胴部３１は、雄テープ７及び雌テープとしてのパイル地８よりなる面ファスナー６と後輪部３３とよりなる。胴部３１は開閉部４の一例である輪状開口５として区政されている。胴部３１は身体の腰部に装着され、本体２の後部１２側は折り返されて袋状の後輪部３３となり、本体２の前部１１側における端部３にはパイル地８が縫合されている。本体２は伸縮自在なナイロン・ポリエステル等の合成繊維により形成されている。
【００１２】
後輪部３３，パイル地８は共に折り返されて袋状を呈し、その折返し部が上側に配置され、遊端が下側に配置されて縫合され、固着と共に綻びが防止される。また、パイル地８は雄テープ７のフック（又はマッシュルーム状の小突起等）に結合するループパイルが外側に配置されており、折返し端部が身体外側に位置しているので、身体に縫い目等が当たる違和感がない。
【００１３】
パイル地８はその一例として。ナイロン、ポリウレタン製のナイロンパイル起毛を用いることができるが、これに限られるものではない。例えば、株式会社カ・インパナ製のナイロンパイル起毛（品番ＫＩ１００５Ｄ、ナイロン９５％、ポリウレタン５％）等を好適に用いることができる。
【００１４】
後輪部３３の内部にはバンド９が左右に貫通し、その両端一対がスパッツ３０の左右から突出する。そして、各バンド９の端部に雄テープ７が縫合される。バンド９自体も伸縮性を有していることから、パイル地８への取り付け時においてき胴部３１を引伸ばされることで、開閉部４である輪状開口５を縮小させる弾性力が作用する。バンド９は図示省略するが、後輪部３３内に固着されている。
【００１５】
使用に際しては、人体の脚部を胴部３１から脚部３２に向かって挿入し、胴部３１を腰の位置まで引き上げる。そして、各バンド９を引き延ばしては適宜位置のパイル地８表面に取り付ける。このバンド９の操作により胴部３１は縮小して、スパッツ３０が身体に固定される。バンド９の締め付けにより直接的に押圧力が作用する部分には縫い目が位置せず、パイル地８の端部３に対する固着部分のみに縫い目が存在するため、違和感を生じにくい。また、体に接する胴部３１の上端が折り返されているので、その点でも違和感を生じにくく、身体装着具１全体の端部でバンド９により身体に装着できる利点がある。
【００１６】
次に、本発明の別実施形態を列挙する。なお、上記実施形態と同様の部材には同符合を附してある。
【００１７】
図６に示す身体装着具１の一例である上着４０は、同じく水着として実施されている。この上着４０は首部４１，胴部４２，袖部４３を備え、胴部４２の前部１１が縦割れする開閉部４であり、開閉部４の縦長の端部３に第一実施形態同様の袋状のパイル地８が固着され、開閉部４の他方の裏面に雄テープ７が縫合されている。身体に対する装着感が良好である点は上記実施形態と同様である。
【００１８】
図７に示す身体装着具１の一例であるワンピース５０は、同じく水着として実施されている。このワンピース５０は首部５１，胴部５２，腕部５３，股部５４を備え、股部５４に開閉部４が設けられている。パイル地８は開閉部４の前部１１側に設けられ、本体２の端部３に第一実施形態同様の袋状のパイル地８が固着され、開閉部４の他方の裏面に雄テープ７が縫合されている。本例では、雄テープ７を体の後ろ側から前側に引き上げて装着が可能なので、装着者当人のみならず介護者の作業も極めて容易である。
【００１９】
図８に示す身体装着具１の一例である手袋６０では、手首部６１に開閉部４が設けられている。パイル地８は開閉部４の一方の矩形状に切り開かれた端部３に縫合される。雄テープ７はこの矩形状の端部３に対応する６２の内側に縫合されている。
【００２０】
最後に本発明の改変例を列挙する。
上記実施形態の本発明に係る身体装着具１は、肢体不自由な装着者や介護者の着脱操作が極めて容易である。したがって、本発明の特徴である端部３の端部にパイル地８を縫合せずに、端部３を本体２に面接触させて縫合することも可能であるが、装着時の違和感軽減のためには上記実施形態が望ましい。
【００２１】
上記実施形態ではパイル地８を袋状に折り返して端部３に縫合した。これとは異なり、パイル地８を折り返さずにその切り端を上側に解放した状態で端部３に縫合することも可能であるが、パイル地８の切り端の綻び防止や違和感軽減のためにはパイル地８を折り返して遊端で縫合することが望ましい。
【００２２】
上記実施形態では全ての固定を縫合で行った。しかし、縫合の替わりにヒートシール、超音波シール、接着剤等により固定しても構わない。
上記実施形態では、身体装着具１を衣類として実施した。しかし、衣類以外のスポーツ用具等として本発明を実施することも可能である。
【産業上の利用可能性】
【００２３】
本発明は、身体障害者用衣料やスポーツ具等の身体装着具として利用することができる。
【図面の簡単な説明】
【００２４】
【図１】本発明に係る身体装着具の一例であるスパッツの正面図である。
【図２】図１のバンドを閉じた状態を示す図である。
【図３】図１の背面図である。
【図４】バンドの拡大図である。
【図５】（ａ）は図２のＡ−Ａ断面図、（ｂ）は図２のＢ−Ｂ断面図である。
【図６】本発明の第二実施例を示す上着の正面図である。
【図７】本発明の第三実施例を示すワンピースの正面図である。
【図８】本発明の第四実施例を示す手袋の正面図である。
【符号の説明】
【００２５】
１：身体装着具、２：本体、３：端部、４：開閉部、５：輪状開口、６：面ファスナー、７：雄テープ、８：パイル地（雌テープ）、ループパイル、９：バンド、１１：前部、１２：後部、３０：スパッツ、３１：胴部、３２：脚部、３３：後輪部、４０：上着、４１：首部、４２：胴部、４３：袖部、５０：ワンピース、５１：首部、５２：胴部、５３：腕部、５４：股部、６０：手袋、６１：手首部
【図１】
2007092258.tif 000003
【図２】
2007092258.tif 000004
【図３】
2007092258.tif 000005
【図４】
2007092258.tif 000006
【図５】
2007092258.tif 000007
【図６】
2007092258.tif 000008
【図７】
2007092258.tif 000009
【図８】
2007092258.tif 000010